(57)【特許請求の範囲】
【請求項１】
下端をコンクリート打設部分の構造物に固定して起立状に配置する下部定規用丸鋼と、下端に雄ねじが形成された上部定規用丸鋼と、前記下部定規用丸鋼の上端に取り付けられ、前記上部定規用丸鋼の雄ねじを螺合することにより、下部定規用丸鋼の上端に上部定規用丸鋼を延長状となるよう着脱可能に接続する連結ナットとからなり、前記上部定規用丸鋼に外面へのテープの巻き付けによる計画高さの表示を設け、前記上部定規用丸鋼の外面は表示と下端の雄ねじまでの間が養生区間となり、この養生区間に、上部定規用丸鋼の抜き取り時に、コンクリート層に形成される抜き孔に残るテープを雄ねじの外径よりも大径に巻き付けたコンクリート打設時の計画高さ表示定規。
【請求項２】
請求項１記載の計画高さ表示定規を用い、連結ナットで下部定規用丸鋼と上部定規用丸鋼を接続したこの計画高さ表示定規を、コンクリート打設部分の構造物へ起立状に固定し、前記上部定規用丸鋼の外面に、計画高さの表示となるテープが巻き付けられ、かつ、養生区間に上部定規用丸鋼の抜き取り時に、コンクリート層に形成される抜き孔に残るテープが雄ねじの外径よりも大径に巻き付けられている状態で、コンクリートを打設して表示の高さに仕上げ、コンクリートの打設後に上部定規用丸鋼を回転させ、連結ナットとの結合を解くことでコンクリート層から抜き取り、コンクリート層の上部定規用丸鋼抜き孔を残ったテープの取り除き処理後に充填材で埋めるコンクリート打設時の計画高さ仕上げ方法。
【発明の詳細な説明】
【０００１】
【発明の属する技術分野】
この発明は、コンクリート床版等のコンクリート打設時に、コンクリートの上面を計画高さに仕上げるために用いる表示定規と、この表示定規を使用したコンクリート打設時の計画高さ仕上げ方法に関する。
【０００２】
【従来の技術】
図６は、コンクリート床版等のコンクリート打設時に、コンクリートの上面を計画高さに仕上げる従来の方法を示し、コンクリート打設部分の構造物である桁１上に定規用鉄筋２を溶接等で起立固定し、この定規用鉄筋２の外面に計画高さａの表示３を施した状態で、コンクリートＡを打設して表示３の高さに仕上げ、図７のように、コンクリートＡの凝固後に電動工具等で定規用鉄筋２のコンクリート表面に突出している部分を、コンクリートＡの表面に沿って切断し、定規用鉄筋２の切断した上端に錆止め等を塗布していた。
【０００３】
【発明が解決しようとする課題】
ところで、定規用鉄筋２の切断した上端に塗布した錆止めは、経時的に劣化するので、時間と共に錆が発生し、この錆で定規用鉄筋２の切断面が膨張し、コンクリート構造物に亀裂を生じさせ、コンクリート構造物の耐久性を低下させるという問題がある。
【０００４】
また、定規用鉄筋２の切断作業は危険を伴い、安全面で好ましくないと共に、切断作業は時間がかかり、工期にも影響を与え、経済的にも高くつくという問題もある。
【０００５】
そこで、この発明の課題は、コンクリート打設後の定規用鉄筋の切断作業を不要にし、錆の発生による従来の問題を解消できるだけでなく、後処理作業が安全に能率よく行え、経済的に有利なコンクリート打設時の計画高さ表示定規と計画高さ仕上げ方法を提供することにある。
【０００６】
【課題を解決するための手段】
上記のような課題を解決するため、請求項１の発明は、下端をコンクリート打設部分の構造物に固定して起立状に配置する下部定規用丸鋼と、下端に雄ねじが形成された上部定規用丸鋼と、前記下部定規用丸鋼の上端に取り付けられ、前記上部定規用丸鋼の雄ねじを螺合することにより、下部定規用丸鋼の上端に上部定規用丸鋼を延長状となるよう着脱可能に接続する連結ナットとからなり、前記上部定規用丸鋼に外面へのテープの巻き付けによる計画高さの表示を設け、前記上部定規用丸鋼の外面は表示と下端の雄ねじまでの間が養生区間となり、この養生区間に、上部定規用丸鋼の抜き取り時に、コンクリート層に形成される抜き孔に残るテープを雄ねじの外径よりも大径に巻き付けた構成を採用したものである。
【０００７】
請求項２の発明は、請求項１の発明の計画高さ表示定規を用い、連結ナットで下部定規用丸鋼と上部定規用丸鋼を接続したこの計画高さ表示定規を、コンクリート打設部分の構造物へ起立状に固定し、前記上部定規用丸鋼の外面に、計画高さの表示となるテープが巻き付けられ、かつ、養生区間に上部定規用丸鋼の抜き取り時に、コンクリート層に形成される抜き孔に残るテープが雄ねじの外径よりも大径に巻き付けられている状態で、コンクリートを打設して表示の高さに仕上げ、コンクリートの打設後に上部定規用丸鋼を回転させ、連結ナットとの結合を解くことでコンクリート層から抜き取り、コンクリート層の上部定規用丸鋼抜き孔を残ったテープの取り除き処理後に充填材で埋める構成を採用したものである。
【０００８】
上記下部定規用丸鋼の構造物への固定は、下部定規用丸鋼の下端を直接溶接してもよいし、構造物に溶接したナットに下部定規用丸鋼の下端雄ねじを螺合して取り付けてもよい。
【０００９】
また、下部定規用丸鋼と連結ナットの結合は、溶接のほか、下部定規用丸鋼の上端に形成した雄ねじを螺合して取り付けてもよい。
【００１０】
上記上部定規用丸鋼の外面に対する計画高さの表示は、計画高さの位置に目地テープを巻き付けることによって行い、この上部定規用丸鋼の目地テープと連結ナットの間に位置する養生区間は、各種テープの巻き付けにより、下端部の雄ねじよりも大径にしてその外面に滑剤を塗布し、上部定規用丸鋼のコンクリート層からの抜き取りが円滑に行えるようにしておく。
【００１１】
【発明の実施の形態】
以下、この発明の実施の形態を図示例と共に説明する。
【００１２】
図１乃至図５のように、表示定規１１は、下端をコンクリート打設部分の構造物である桁１に固定して起立状に配置する下部定規用丸鋼１２と、下端に雄ねじ１３が形成された上部定規用丸鋼１４と、上記雄ねじ１３を螺合することにより、下部定規用丸鋼１２の上端に上部定規用丸鋼１４を延長状となるよう着脱可能に接続する連結ナット１５との組み合わせによって形成されている。
【００１３】
上記下部定規用丸鋼１２の桁１に対する固定は、下部定規用丸鋼１２の下端を桁１に直接溶接してもよいが、図示のように、桁１にナット１６を溶接し、下部定規用丸鋼１２の下端に形成した雄ねじ１７をこのナット１６に螺合することにより取り付けるようにしてもよい。
【００１４】
また、下部定規用丸鋼１２と連結ナット１５の結合は、溶接のほか、下部定規用丸鋼１２の上端に形成した雄ねじ１８を連結ナット１５に螺合して取り付けてもよい。
【００１５】
上記上部定規用丸鋼１４の外面に対する計画高さの表示１９は、計画高さの位置に目地テープを巻き付けることによって行うものである。
【００１６】
次に、上記表示定規１１を用いたコンクリート打設時の計画高さ仕上げ方法を説明する。
【００１７】
コンクリート床版等のコンクリート打設時に、桁１のような構造物の上面フランジに下部定規用丸鋼１２を垂直に固定し、下部定規用丸鋼１２の上端に連結ナット１５を取り付け、この連結ナット１５に下端の雄ねじ１３を螺合することによって上部定規用丸鋼１４を連結し、下部定規用丸鋼１２の上に上部定規用丸鋼１４を延長状に取り付ける。
【００１８】
図２のように、上記上部定規用丸鋼１４に対してコンクリート打設の計画高さａを出し、この計画高さ位置に目地テープを巻き付けることによって表示１９を施す。
【００１９】
上記上部定規用丸鋼１４は、目地テープを巻いた表示１９と連結ナット１５の間に位置する部分が、コンクリート層内に埋設される養生区間２０となり、この養生区間２０には、シリコン等の滑剤を塗布して養生紙テープを巻き、もう一度軽く滑剤を塗布し、その上にビニールテープを雄ねじの外径よりも大径になるよう巻き付け、その外表面に軽く滑剤を塗布する。
【００２０】
このようにして表示定規１１を桁１の上面フランジに取り付けた後、図３のように、コンクリートＡを打設し、コンクリートＡの表面を目地テープによる表示１９の下縁に設定された計画高さａに一致するよう仕上げる。
【００２１】
コンクリートＡが凝固すると、図４のように、コンクリートＡの表面に突出する上部定規用丸鋼１４をパイプレンチ等の工具を用いて回し、連結ナット１５から離脱させると共に、回しながら持ち上げるようにすることにより、この上部定規用丸鋼１４をコンクリートＡの層から抜き取る。
【００２２】
上部定規用丸鋼１４の養生区間２０は、ビニールテープの巻き付けによって下端の雄ねじ１３よりも大径になっており、しかも、滑剤が塗布してあるので、コンクリートＡから上部定規用丸鋼１４を容易に抜き取ることができる。
【００２３】
図４のように、上部定規用丸鋼１４を抜き取ることにより、コンクリートＡの層には抜き孔２１が形成されることになり、この抜き孔２１は、内部に残った養生紙テープやビニールテープの取り除き処理をした後、図５のように、無収縮モルタル等の充填材２２を計画高さの位置まで注入して埋め、注入後、充填材２２の上端を金コテで平滑に仕上げる。
【００２４】
充填材２２が硬化すると、その上端を砥石で数回擦り、コンクリート層と同色にして作業を完了する。
【００２５】
なお、表示定規１１の使用は、上記のような高速道路におけるコンクリート床版の施工以外に、コンクリート打設工事の計画高さ表示に広く使用することができる。
【００２６】
【発明の効果】
以上のように、この発明によると、下端をコンクリート打設部分の構造物に固定して起立状に配置する下部定規用丸鋼の上端に、連結ナットを介して上部定規用丸鋼を着脱可能に接続し、この上部定規用丸鋼の外面に計画高さを表示するようにしたので、打設コンクリートの表面を計画高さに仕上げることができると共に、コンクリート工事の完了後に上部定規用丸鋼を抜き取り、その抜き孔を充填材で埋めるだけでよいので、コンクリート打設後の定規用鉄筋の切断作業が不要になり、錆の発生による従来の問題を解消できるだけでなく、後処理作業が安全に能率よく行え、仕上がりが目立たず美しく、しかも、施工性に優れているので経済的にも有利となる。
【図面の簡単な説明】
【図１】この発明に係る表示定規の分解斜視図
【図２】上記表示定規をコンクリート打設部分の構造物に取り付けた縦断面図
【図３】上記コンクリート打設部分にコンクリートを打設した縦断面図
【図４】打設したコンクリートから上部定規用丸鋼を抜き取った状態の縦断面図
【図５】上記定規用丸鋼を抜き取った抜き孔を充填材で埋めた縦断面図
【図６】従来の表示定規をコンクリート打設部分の構造物に取り付けた縦断面図
【図７】上記コンクリート打設部分にコンクリートを打設して表示定規を切断処理した縦断面図
【符号の説明】
１１  表示定規
１２  下部定規用丸鋼
１３  雄ねじ
１４  上部定規用丸鋼
１５  連結ナット
１６  ナット
１７  雄ねじ
１８  雄ねじ
１９  表示
２０  養生区間
２１  抜き孔
２２  充填材
Ａ    コンクリート
ａ    計画高さ
【図１】
0003672545.tif 000002
【図２】
0003672545.tif 000003
【図３】
0003672545.tif 000004
【図４】
0003672545.tif 000005
【図５】
0003672545.tif 000006
【図６】
0003672545.tif 000007
【図７】
0003672545.tif 000008